(57)【要約】【課題】従来の継手の問題を解決し、プレート継手３の回転を防止し、剛性を向上することのできるトラス部材のプレート継手構造を提供する。【解決手段】平坦形状の先端部が形成された複数のトラス部材１、２のそれぞれの先端部１１、２１をプレート継手３にボルト締めによって固定するトラス部材のプレート継手構造において、先端部１１、２１の長手方向に、プレート継手３に間隔を置いて対峙する一対の突起４０を複数個成形し、それぞれの一対の突起４０によってそれぞれの先端部を狭持してボルト締めで拘束する。【選択図】  図３
2004339698.tif 000002
【特許請求の範囲】
【請求項１】
平坦形状の先端部が形成された複数のトラス部材のそれぞれの先端部をプレート継手にボルト締めによって固定するトラス部材のプレート継手構造において、前記先端部の長手方向に、前記プレート継手に間隔を置いて対峙する一対の突起を複数個成形し、それぞれの一対の突起によってそれぞれの先端部を狭持してボルト締めで拘束することを特徴とするトラス部材の継手構造。
【請求項２】
平坦形状の先端部が形成された複数のトラス部材のそれぞれの先端部をプレート継手にボルト締めによって固定するトラス部材のプレート継手構造において、前記先端部および前記プレート継手にそれぞれ唯一のボルト孔を設け、該先端部の長手方向に、前記プレート継手に間隔を置いて対峙する一対の突起を複数個成形し、それぞれの一対の突起によってそれぞれの先端部を狭持して前記ボルト孔にボルトを挿入して唯一のボルト締めで拘束することを特徴とするトラス部材のプレート継手構造。
【請求項３】
請求項１または２において、４つのトラス部材のそれぞれの先端部は十字状にしてプレート継手の中央に向かって配置されて前記一対の突起によって拘束されることを特徴とするトラス部材のプレート継手構造。
【発明の詳細な説明】
【０００１】
【発明の属する技術分野】
本発明は、トラス部材のプレート継手構造に関する。
【０００２】
【従来の技術】
図１および図２に従来のトラス部材のプレート継手構造を示す。
図１に示す従来のトラス部材のプレート継手構造は、トラス部材平坦１、２に先端部１１、２１が形成され、それぞれの先端部１１、２１がプレート継手３の中央０に向けられてプレート継手３上に配置され、先端部１１、２１に設けたボルト孔１２、２２にボルト（図示せず）を挿入してボルト締めを行う構造としている。この場合に、プレート継手３は中央０で交点とする形の４つの領域３１、３２、３３、３４からなるようであり、領域３１、３２に設けられたボルト孔１２、２２の外に領域３３、３４にもボルト孔２３、２４が設けられている。
【０００３】
図１に示す例にあっては、各領域に、すなわちそれぞれの先端部１１、２１に設けられるボルト孔１２、２２は各１つであるが、図２に示す例にあってはボルト孔１２ａ、１２ｂ、２２ａ、２２ｂは各２つとされ、プレート継手構造の形体は同様のものとされている。
【０００４】
【発明が解決しようとする課題】
図１に示す例にあっては、それぞれの先端部１１、２１をそれぞれ１本のボルトで先端部１１、２２とプレート継手３を接合、すなわち拘束しようとしているために、図に示すようにトラス部材１、２に中央０に向けてＰなる軸方向の力が負荷（作用）されると、プレート継手３に回転が生じ、継手の接合が充分に果たされない恐れがあった。この問題を解決するために図２に示すように、それぞれの先端部１１、２１に２つのボルト孔１２ａ、１２ｂ、２２ａ、２２ｂを設けてプレート継手３の回転を防止することを行っている。この構造であれば確かにプレート継手３の回転を防止することができるが、それぞれの先端部１１、２１にそれぞれ２つのボルト孔１２ａ、１２ｂと２２ａ、２２ｂを設けることのために先端部１１、２１とこれが接合されるプレート継手３を大きく構成しなければならないという問題があった。
本発明は、これらいずれの問題をも解決し、プレート継手３の回転を防止し、剛性を向上することのできるトラス部材のプレート継手構造を提供することを目的とする。
【０００５】
【課題を解決するための手段】
本発明は、平坦形状の先端部が形成された複数のトラス部材のそれぞれの先端部をプレート継手にボルト締めによって固定するトラス部材のプレート継手構造において、前記先端部の長手方向に、前記プレート継手に間隔を置いて対峙する一対の突起を複数個成形し、それぞれの一対の突起によってそれぞれの先端部を狭持してボルト締めで拘束するトラス部材の継手構造を提供する。
【０００６】
また、平坦形状の先端部が形成された複数のトラス部材のそれぞれの先端部をプレート継手にボルト締めによって固定するトラス部材のプレート継手構造において、前記先端部および前記プレート継手にそれぞれ唯一のボルト孔を設け、該先端部の長手方向に、前記プレート継手に間隔を置いて対峙する一対の突起を複数個成形し、それぞれの一対の突起によってそれぞれの先端部を狭持して前記ボルト孔にボルトを挿入して唯一のボルト締めで拘束するトラス部材のプレート継手構造を提供する。
更に、４つのトラス部材のそれぞれの先端部は十字状にしてプレート継手の中央に向かって配置されて前記一対の突起によって拘束されるトラス部材のプレート継手構造を提供する。
【０００７】
【発明の実施の形態】
以下、本発明の実施例を図面に基づいて説明する。
図３は、本発明の実施例であるトラス部材の継手構造を示す。トラス部材１、２、先端部１１、２１、プレート継手３、ボルト孔１２、２２、他のボルト孔２３、２４および領域３１、３２、３３、３４は図１に示す例と実質的に同一または類似の構成とすることができる。そして、図１に示す例と同様に、それぞれの先端部１１、２１はプレート継手３の中央０に向って左右側に対向配置される。この例にあっては、領域３１、３２に先端部１１、２１を配設しているが、領域３３、３４にも同様にトラス部材の先端部を配設して中央０に向けることができる。
【０００８】
このような構成において、プレート継手３の各領域３１、３２、３３、３４には間隔（間隙）を置いて対峙する一対の突起（リブ状凸形成形体）が成形形成されている。図４に示すように、一対の突起４０は突起４１、４２からなり、その間隔には先端部１１が拘束された状態で配設される。尚、先端部１１は、周知のように、丸パイプであるトラス部材の先端部が押しつぶされた形状であり、各種の構造のものを採用することができる。
【０００９】
図３に示すように、各領域３１、３２、３３、３４に設けるボルト孔１１、２２、２３、２４は唯一のものとしてあり、その分だけプレート継手３を図１に示すものと同様に小さな形状としている。
【００１０】
先端部１１、２１を隙間がなく狭持する一対の突起４０の突起４１、４２は並行構造として、領域３２に設けた他の突起４３、４４と対向する。また、領域３３、３４にも、同様にして突起４５、４６と４７、４８を設けておくことによってこれらの領域にも他の先端部を配設することができる。
【００１１】
先端部１１、２１が突起４１、４２と４３、４４とによって狭持され、配置が完了すると、唯一のボルト孔１２、２２を使用してボルトが挿入され、先端部１１、２１をプレート継手に接合、すなわち拘束する。図３は先端部１１、２１が突起４１、４２と４３、４４とによって狭持され、ボルト締めによって拘束された状態を示す。このような構造にあっては、ボルト孔はそれぞれの領域３１、３２、３３、３４にそれぞれ唯一設ければ充分にプレート継手３の回転を防止することができるからプレート継手３の形状は、図１に示す例と同じに小さな形状のものを採用すれば足りることになる。また、一対の突起を成形によって設けることによって、他の材料を要することなしに、プレート継手３の剛性、更にはプレート継手構造１００の剛性を高めることができる。
【００１２】
図５は下金型の平面図、図６は上金型の側面図、図７は下金型の側面図である。これらの図において、上金型５０は細長状の凹部５１、５２が形成され、下金型５３には細長状であって、一対の凹部５１、５２に挿入可能な山形状の凸部５４、５５が設けてある。上金型５０、下金型５３の対向面は平面状とされ、組み合わされて使用される。上金型５０と下金型５３をセットして先端部１１をこの間に配置して押圧すると凸部５４、５５が凹部５１、５２に入り込み、図に示すように一対の突起４１、４２が成形形成される。
【００１３】
【発明の効果】
以上のように、本発明によればプレート継手自体の一部を成形して一対の突起を成形形成し、一対の突起によってトラス部材の先端部を狭持することができるから先端部に設けるボルト孔は唯一なものとすることができ、プレート継手、更にはプレート継手構造を図１に示すと従来と同じにして、かつ図２に示すと同じにプレート継手の回転を防止することができ、更にはプレート継手、プレート構造自体の剛性を高めることができ、トラス部材についての有効な継手構造を提供することができる。
【図面の簡単な説明】
【図１】従来のトラス部材のプレート継手構造の一例を示す図。
【図２】従来のトラス部材のプレート継手構造の他の例を示す図。
【図３】本発明の実施例の構造図。
【図４】図３のＡ−Ａ断面図。
【図５】上金具の平面図。
【図６】下金具の側面図。
【図７】上金具の側面図。
【符号の説明】
１、２…トラス部材、３…プレート継手、１１、２１…先端部、１２、２２、２３、２４…唯一のボルト孔、４０…一対の突起、４１、４２、４３、４４、４５、４６、４７、４８…突起、１００…プレート継手構造。
【図１】
2004339698.tif 000003
【図２】
2004339698.tif 000004
【図３】
2004339698.tif 000005
【図４】
2004339698.tif 000006
【図５】
2004339698.tif 000007
【図６】
2004339698.tif 000008
【図７】
2004339698.tif 000009